(57)【要約】【課題】  防煙垂壁において、安全性を確保しつつ、装飾性を向上させる。【解決手段】  光源としての蛍光灯１０と、耐火性および透光性を有する薄型軽量の第１のスクリーン幕１２ａおよび第２のスクリーン幕１２ｂとを設け、光源を保持し、かつ第１のスクリーン幕１２ａの上端および第２のスクリーン幕１２ｂの上端を保持する第１の保持部２０と、第１のスクリーン幕１２ａの下端および第２のスクリーン幕１２ｂの下端を保持する第２保持部２１と、第１の保持部２０と第２の保持部２１とを連結する連結部２２とから構成し、両スクリーン幕１２ａおよび１２ｂの内側から光源によりライトアップする。【選択図】          図２
2005296087.tif 000002
【特許請求の範囲】
【請求項１】
天井から垂下され、建物内部の上部空間を間仕切りする不燃性もしくは耐火性でありかつ透光性を有する第１のスクリーン幕と、
該第１のスクリーン幕と対向するように配された、不燃性もしくは耐火性でありかつ透光性を有する第２のスクリーン幕と、
前記第１のスクリーン幕および前記第２のスクリーン幕の間の空間に光を照射し、前記第１のスクリーン幕および前記第２のスクリーン幕の内側から照明するように配された光源とを備えてなることを特徴とする防煙垂壁。
【請求項２】
前記第１のスクリーン幕および／または前記第２のスクリーン幕が、ガラス繊維からなるものであることを特徴とする請求項１記載の防煙垂壁。
【請求項３】
前記第１のスクリーン幕および／または前記第２のスクリーン幕が、不燃性インクによる印刷を施されたものであることを特徴とする請求項１または２記載の防煙垂壁。
【請求項４】
前記光源を保持し、かつ前記第１のスクリーン幕の上端および前記第２のスクリーン幕の上端を保持する第１の保持部と、
前記第１のスクリーン幕の下端および前記第２のスクリーン幕の下端を保持する第２の保持部とを備えたことを特徴とする請求項１から３のいずれか1項記載の防煙垂壁。
【請求項５】
前記第１の保持部と前記第２の保持部とを連結する連結部を備えたことを特徴とする請求項４記載の防煙垂壁。
【発明の詳細な説明】
【技術分野】
【０００１】
本発明は、建物内部の上部空間を間仕切りすることにより、火災時に発生する煙の拡散を防止する防煙垂壁に関するものである。
【背景技術】
【０００２】
従来より、建物内の所定以上の面積を有する空間には、火災時に発生する一酸化炭素や有毒ガス等を含む煙を一定区画内に留めて拡散を防止し、避難に必要な時間を確保するための防煙垂壁を設けることが建築基準法により義務づけられている。
【０００３】
この防煙垂壁としては、金属製のシャッターやガラス板等、所定の安全基準を満たす素材を用いることができるが、一般的には、耐火性を有し、かつ見た目も美しいことからガラス板が多く用いられる。
【特許文献１】実開平０４−１３５７７９号公報
【特許文献２】特開平０７−２３４６４９号公報
【発明の開示】
【発明が解決しようとする課題】
【０００４】
ところで、上記の防煙垂壁に用いられるガラス板や金属製のシャッター等は重量があるため地震等の際に落下すると非常に危険であり、このような重量物が落下しないように安全な施行をするためにはコストが掛かる。
【０００５】
また、防煙垂壁は室内空間に配置されるものであるため装飾性が求められるが、火災時に煙の拡散を防止する機能を果たす必要があることから、耐火性、耐熱性等の安全基準を満たす必要があり、一般的に使用されている部材を用いて装飾性を高めることが困難である。
【０００６】
天井から垂下して使用するもので装飾性の高いものとしては、特許文献１または特許文献２に記載されているような表示装置が知られている。これらの表示装置は、イラスト等がプリントされた表示板と、この表示板をライトアップする光源とを備えており、建物内の誘導灯として用いたり、看板や案内板として用いることが可能である。
【０００７】
しかしながら、これらの表示装置は、火災等の影響を考慮して作られたものではなく、このような装置を防煙垂壁に応用することはできない。
【０００８】
本発明は上記問題に鑑みてなされたものであり、安全性を確保しつつ、装飾性の高い防煙垂壁を提供することを目的とするものである。
【課題を解決するための手段】
【０００９】
本発明による防煙垂壁は、天井から垂下され、建物内部の上部空間を間仕切りする不燃性もしくは耐火性でありかつ透光性を有する第１のスクリーン幕と、第１のスクリーン幕と対向するように配された、不燃性もしくは耐火性でありかつ透光性を有する第２のスクリーン幕と、第１のスクリーン幕および第２のスクリーン幕の間の空間に光を照射し、第１のスクリーン幕および第２のスクリーン幕の内側から照明するように配された光源とを備えてなることを特徴とするものである。
【００１０】
ここで、第１のスクリーン幕と第２のスクリーン幕とは、それぞれ別々に構成されたものでもよいし、互いに対向する領域ができるよう一枚のスクリーン幕を折り曲げたものでもよい。なお、この場合には、互いに対向する部分の一方が第１のスクリーン幕、他方が第２のスクリーン幕となる。
【００１１】
本発明による防煙垂壁において、第１のスクリーン幕および／または第２のスクリーン幕は、ガラス繊維からなるものとすることが好ましい。なお、このガラス繊維からなるスクリーン幕にさらにフッ素コートを施してもよい。
【００１２】
また、これ以外にも飛散防止機能および可撓性を有する透光性ガラスや透光性セラミックス、またはガラス繊維を基材とする不燃性もしくは難燃性のシートを用いることもできる。
【００１３】
また、第１のスクリーン幕および／または第２のスクリーン幕は、不燃性インクによる印刷を施されたものとすることが好ましい。
【００１４】
また、本発明による防煙垂壁は、光源を保持し、かつ第１のスクリーン幕の上端および第２のスクリーン幕の上端を保持する第１の保持部と、第１のスクリーン幕の下端および第２のスクリーン幕の下端を保持する第２の保持部とを備えたものとすることができる。さらに第１の保持部と第２の保持部とを連結する連結部を備えてもよい。
【発明の効果】
【００１５】
本発明の防煙垂壁によれば、不燃性もしくは耐火性でありかつ透光性を有するスクリーン幕によって煙を遮断するようにしており、このスクリーン幕は薄型軽量であるため落下する虞が低く、また万一落下した場合にも安全を確保することができる。さらに、本発明においては、上記のスクリーン幕を２面に配し、両スクリーン幕の内側から照明するように配された光源を備えて、防煙垂壁の内側からライトアップすることが可能であるため、装飾性を向上させることができる。
【００１６】
また、不燃性もしくは耐火性でありかつ透光性を有するスクリーン幕は、ガラス繊維からなるものとすることにより容易に実現できる。
【００１７】
また、スクリーン幕を、不燃性インクによる印刷を施されたものとすることにより、装飾性を一段と高めることができる。
【００１８】
さらに、防煙垂壁を、光源を保持し、かつ両スクリーン幕の上端を保持する第１の保持部と、両スクリーン幕の下端を保持する第２保持部とから構成することによって、容易に実現できる。また、第１の保持部と第２の保持部とを連結する連結部を備えることによって両スクリーン幕にかかる重量を軽減させることができるため、両スクリーン幕の耐久性を向上させることができる。
【発明を実施するための最良の形態】
【００１９】
以下、本発明の具体的な実施の形態について図面を用いて説明する。図１は本発明の第１の実施の形態による防煙垂壁の側面方向の部分断面図、図２は図１中のII−II線断面図である。
【００２０】
この防煙垂壁１は、光源としての蛍光灯１０と、耐火性および透光性を有する第１のスクリーン幕１２ａおよび第２のスクリーン幕１２ｂとを備え、また、光源を保持し、かつ第１のスクリーン幕１２ａの上端および第２のスクリーン幕１２ｂの上端を保持する第１の保持部２０と、第１のスクリーン幕１２ａの下端および第２のスクリーン幕１２ｂの下端を保持する第２の保持部２１と、第１の保持部２０と第２の保持部２１とを連結する連結部２２とからなるものである。
【００２１】
蛍光灯１０は、蛍光管１０ａの側面に電極端子１０ｂが設けられたものであり、このような蛍光灯を用いることによって、防煙垂壁１の長手方向において、発光部分を多く延在させることができる。勿論、光源としては上記以外のものを用いてもよい。なお、光源は蛍光灯１０に限定されるものではなく、例えばＬＥＤ、フェストン球、豆電球等を防煙垂壁１の長手方向に渡って連続的に直線状に配置したもの等、防煙垂壁１の長手方向に渡って連続的な照明を構成するものであればどのようなものでもよい。
【００２２】
スクリーン幕１２ａおよび１２ｂは、ガラス繊維からなるものであり、従来用いられていたガラス板や金属シャッター等に比べ、非常に薄型軽量のものである。また、スクリーン幕１２ａおよび１２ｂは、不燃性インクによる印刷を施されたものとしてもよく、このようなものを用いることによって、装飾性を一段と高めることができる。このスクリーン幕１２ａおよび１２ｂは、火災時に発生する一酸化炭素や有毒ガス等を含む煙を一定区画内に留めて拡散を防止するという目的上、継目が生じないように防煙垂壁１の長手方向に渡ってそれぞれ一枚の幕で構成されている。
【００２３】
なお、スクリーン幕１２ａおよび１２ｂは、ガラス繊維からなるもの以外にも、耐火性および透光性を有し、薄型軽量のものであればどのようなものを用いてもよい。
【００２４】
第１の保持部２０は、天井内部に吊り下げられた吊下ボルト３１により保持された外枠２０ａと、外枠２０ａの両端部にそれぞれ固着される内枠２０ｂと、内枠２０ｂ同士を連結する連結板２０ｃと、内枠２０ｂにボルト２０ｅによって連結され、スクリーン幕１２ａまたは１２ｂの上端を挟持する挟持部材２０ｄとからなる。外枠２０ａおよび内枠２０ｂは、共に吊下部材３２に固着され保持されている。なお、第１の保持部２０を天井に取り付ける方法は、従来の種々の方法を用いることが可能であり、特に限定されるものではない。
【００２５】
また、外枠２０ａには、ソケット１１が固着されており、これにより蛍光灯１０を保持するとともに、蛍光灯１０に電力を供給する。
【００２６】
第２の保持部２１は、外枠２１ａと、内枠２１ｂとを備え、この外枠２１ａおよび内枠２１ｂにより、スクリーン幕１２ａおよび１２ｂの下端を挟持する。
【００２７】
連結部２２は、支柱２２ａと、支柱２２ａの上端部を連結板２０ｃに固定するボルト２２ｂと、支柱２２ａの下端部に締結され、内枠２１ｂを保持するナット２２ｃとからなる。なお、このような支柱の代わりに、ワイヤーにより第１の保持部２０と第２の保持部２１とを連結してもよいし、連結部を設けずに保持部２１をスクリーン幕１２ａおよび１２ｂで支持してもよい。
【００２８】
防煙垂壁１の長手方向端部には外枠２３が設けられており、この外枠２３とスクリーン幕１２ａおよび１２ｂとの間には煙が漏出しないようにゴム製のパッキンが設けられている。
【００２９】
上記のように構成された本実施の形態の防煙垂壁１においては、煙を遮断する部分に薄型軽量のガラス繊維からなるスクリーン幕１２ａおよび１２ｂを用いているため、落下する虞が低く、また万一落下した場合にも安全を確保することができる。さらに、蛍光灯１０（光源）を設け、これを第１の保持部２０に固定することにより、スクリーン幕１２ａおよび１２ｂの内側からライトアップすることができるため、装飾性を向上させることができる。
【００３０】
次いで、本発明の第２の実施の形態について図面を用いて説明する。図３は本発明の第２の実施の形態による防煙垂壁の側面図、図４は図３中のIV−IV線断面図、図５は上記防煙垂壁の接合部材のスクリーン幕接合前の断面図である。
【００３１】
本実施の形態の防煙垂壁１´は、スクリーン幕１２ａおよび１２ｂを防煙垂壁１´の長手方向に渡って複数枚の幕で構成したものであり、スクリーン幕１２ａおよび１２ｂの構成を除き、図１および図２を参照して説明した第１の実施の形態の防煙垂壁１と同様の構成を有するから、同一部材には同一符号を付し、重複する説明は省略する。
【００３２】
図３に示すように、本実施の形態のスクリーン幕１２ａは、防煙垂壁１´の長手方向に渡って複数枚の幕で構成されており、隣接する２枚の幕の端辺同士は接合部材５０によって接合されている。
【００３３】
図４に示すように、この接合部材５０はスクリーン幕１２ａと同じ材料からなる２枚の幕体５０ａおよび５０ｂからなり、この幕体５０ａおよび５０ｂは中心同士が接合されており、両端部でそれぞれスクリーン幕１２ａを挟持するように構成されている。
【００３４】
図５に示すように、幕体５０ａおよび５０ｂは、各々中心付近に先端が平坦形状でスクリーン幕１２ａの厚さＬ２の半分の高さだけ膨出された膨出部が形成され、両端部は膨出部の膨出方向に僅かに傾けられており、幕体５０ａの膨出部と５０ｂの膨出部とを接合した際に、接合部材５０の両端における幕体５０ａと５０ｂとの間隔Ｌ１が、スクリーン幕１２ａの厚さＬ２よりも短くなるように構成されている。
【００３５】
この接合部材５０にスクリーン幕１２ａを接合させる際には、接合部材５０の端部を広げてスクリーン幕１２ａを挟み込む。
【００３６】
上記のように構成することにより、接合部材５０とスクリーン幕１２ａとが密着するようになるため、接合部分からの煙の漏出を防止することができる。
【００３７】
なお、図３から図５においてはスクリーン幕１２ｂは示されていないが、スクリーン幕１２ｂはスクリーン幕１２ａと同様に構成されており、継目には同様に接合部材５０が設けられている。
【００３８】
以上、本発明の好ましい実施の形態について説明したが、本発明は上記の態様に限定されるものではなく、例えば、両スクリーン幕の保持の態様については上記に限定されるものではない。
【００３９】
また、第１および第２のスクリーン幕については、一枚のスクリーン幕を折り曲げたものから構成してもよい。
【図面の簡単な説明】
【００４０】
【図１】本発明の第１の実施の形態による防煙垂壁の側面方向の部分断面図
【図２】図１中のII−II線断面図
【図３】本発明の第２の実施の形態による防煙垂壁の側面図
【図４】図３中のIV−IV線断面図
【図５】第２の実施の形態による防煙垂壁の接合部材のスクリーン幕接合前の断面図
【符号の説明】
【００４１】
１    防煙垂壁
１０    蛍光灯（光源）
１０ａ    蛍光管
１０ｂ    電極端子    
１１    ソケット
１２ａ    第１のスクリーン幕
１２ｂ    第２のスクリーン幕
２０    第１の保持部
２１    第２の保持部
２２    連結部
３０    天井
３１    吊下ボルト
３２    吊下部材
５０    接合部材
【図１】
2005296087.tif 000003
【図２】
2005296087.tif 000004
【図３】
2005296087.tif 000005
【図４】
2005296087.tif 000006
【図５】
2005296087.tif 000007